(57)【特許請求の範囲】
【請求項１】
便器と、該便器に取り付けられ少なくとも排便の落下位置に開口部を有した袋体と、該袋体の前記開口部を閉じる閉口手段とを備えたトイレにおいて、前記閉口手段は、前記袋体の前記開口部に取り付けられ熱可塑性を有した樹脂バンドと、該樹脂バンドの一端又は両端を引張る駆動部と、前記樹脂バンドの締付時に前記樹脂バンドの締付部に熱を加える加熱手段とを備えたことを特徴とするトイレ。
【請求項２】
前記駆動部は、前記樹脂バンドに所定の締付力を加えると締付を停止する締付力調整装置を有することを特徴とする請求項１記載のトイレ。
【請求項３】
前記袋体に取り付けられ前記樹脂バンドを保持可能な保持部を有することを特徴とする請求項１又は請求項２記載のトイレ。
【請求項４】
便器と、該便器に取り付けられ少なくとも排便の落下位置に開口部を有した袋体と、該袋体の前記開口部を閉じる閉口手段とを備え、前記閉口手段は、前記袋体の前記開口部を複数箇所で保持すると共に折り畳み可能なリンク部材と、該リンク部材を折り畳んだり元に戻したりする作動手段と、該作動手段にて前記リンク部材を折り畳んだときに前記袋体の開口部近傍を熱溶着させる溶着手段とを有することを特徴とするトイレ。
【請求項５】
前記閉口手段が前記袋体を閉口するときに前記袋体を両側面より押圧する押圧手段を有することを特徴とする請求項１から請求項４のいずれか１項記載のトイレ。
【請求項６】
前記押圧手段は、前記袋体に接触する押圧体と、一端が前記押圧体に接続された圧縮スプリングと、前記袋体の閉口時に前記圧縮スプリングを圧縮する方向に移動される可動部材とを有することを特徴とする請求項５記載のトイレ。
【請求項７】
前記袋体を収納スペースにまで運ぶ搬送手段を備えたことを特徴とする請求項１から請求項６のいずれか１項記載のトイレ。
【請求項８】
前記搬送手段は、前記閉口手段にて閉口された前記袋体を前記収納スペースに向けて払う払い板と、便蓋の閉動作に連動して前記袋体を前記収納スペースに向けて払うように前記払い板を駆動させる動力伝達部とを有することを特徴とする請求項７記載のトイレ。
【請求項９】
用便後に前記閉口手段にて前記袋体を閉口した後に前記搬送手段を作動可能とする誤動作防止手段を有することを特徴とする請求項７又は請求項８記載のトイレ。
【請求項１０】
前記袋体の前記開口部の内側で且つ前記樹脂バンドが取り付けられた位置に設けられた弾性部材を有することを特徴とする請求項１から請求項３及び請求項５から請求項９のいずれか１項記載のトイレ。
【請求項１１】
前記袋体の内側に少なくとも柔軟性を有した部材を備えたことを特徴とする請求項１から請求項１０のいずれか１項記載のトイレ。
【発明の詳細な説明】
【０００１】
【産業上の利用分野】
本発明は、トイレに関し、特にキャンピングカー等に載置される車載用のトイレに利用できる。
【０００２】
【従来の技術】
従来、例えば特開昭６３−１７１５５６号公報に開示されるようなトイレが知られている。これは、洋式便器の使用口（即ち、排便の落下位置）に袋体を設置し、用便後には、使用者自らが袋体の開口部に通された紐を閉めて捨てるものである。これにより、老人や入院患者用、更には断水時等にも利用することができて、後始末が簡単で清潔である。
【０００３】
しかしながら、上記したような従来技術においては、使用者自ら又は家政婦が直接袋体の口もとを閉める処理を行わなければならないために、用便毎に悪臭を嗅ぎながら、且つ排泄物を視界に入れながら処理していた。このように、排泄物を処理する人は、用便毎に不快な思いをしていた。
【０００４】
【発明が解決しようとする課題】
本発明は、不快な思いをすることなく排泄物の処理が可能なトイレの提供を技術的課題とする。
【０００５】
【課題を解決するための手段】
上記した技術的課題を解決するために請求項１の発明において講じた技術的手段は、便器と、便器に取り付けられ少なくとも排便の落下位置に開口部を有した袋体と、袋体の開口部を閉じる閉口手段とを備えた、且つこの閉口手段が、袋体の開口部に取り付けられ熱可塑性を有した樹脂バンドと、樹脂バンドの一端又は両端を引張る駆動部と、樹脂バンドの締付時に樹脂バンドの締付部に熱を加える加熱手段とを有するようにしたことである。
【０００８】
駆動部がバンドを締めつける力が強すぎて、バンドが切れたり袋体が破けたりすることを防止し、且つ、締付不足による悪臭及び汚物の流出を防止するために、請求項２の発明において講じた技術的手段は、駆動部は、バンドに所定の締付力を加えると締付を停止する締付力調整装置を有したことである。
【０００９】
袋体から樹脂バンドが脱落しないようにするため、請求項３の発明において講じた技術的手段は、袋体に取り付けられ樹脂バンドを保持可能な保持部を有したことである。
【００１０】
袋体の開口部に皺が寄ることによる封止不良がないように袋体を閉口するために、請求項４の発明において講じた技術的手段は、閉口手段が、袋体の開口部を複数箇所で保持すると共に折り畳み可能なリンク部材と、リンク部材を折り畳んだり元に戻したりする作動手段と、作動手段にてリンク部材を折り畳んだときに袋体の開口部近傍を熱溶着させる溶着手段とを有したことである。
【００１１】
排泄物が入った袋体をコンパクトな状態で閉口するため、請求項５の発明において講じた技術的手段は、閉口手段が袋体の閉口するときに袋体を両側面より押圧する押圧手段を有したことである。
【００１２】
簡素な構成で袋体の空気を抜けるようにするため、請求項６の発明において講じた技術的手段は、押圧手段が、袋体に接触する押圧体と、一端が押圧体に接続された圧縮スプリングと、袋体の閉口時に圧縮スプリングを圧縮する方向に移動される可動部材とを有したことである。
【００１３】
排泄物を視界に入れることなく処理できるようにするため、請求項７の発明において講じた技術的手段は、袋体を収納スペースにまで運ぶ搬送手段を有したことである。
【００１４】
搬送手段を操作する作業を省くために、請求項８の発明において講じた技術的手段は、搬送手段が、閉口手段にて閉口された袋体を収納スペースに向けて払う払い板と、便蓋の閉動作に連動して袋体を収納スペースに向けて払うように払い板を駆動させる動力伝達部とを有したことである。
【００１５】
袋体を閉口する前に搬送手段が作動して袋体が破れるのを防止するために、請求項９の発明において講じた技術的手段は、用便後に閉口手段にて袋体を閉口した後に搬送手段を作動可能とする誤動作防止手段を備えたことである。
【００１６】
樹脂バンドにて袋体の開口部を閉口したときに袋体内の臭気が外部へ逃げるのを防止するため、請求項１０の発明において講じた技術的手段は、袋体の開口部の内側で且つ樹脂バンドが取り付けられた位置に設けられた弾性部材を有したことである。
【００１７】
用便時に排泄物が袋体に当たって生じる音を無くすため、及び尿が袋体に当たって跳ね返るのを防止すために、請求項１１の発明において講じた技術的手段は、袋体の内側に少なくとも柔軟性を有した部材を有したことである。
【００１８】
【作用】
請求項１の発明においては、用便後に閉口手段にて袋体の開口部を閉じることによって、使用者又は家政婦は不快な思いをせずに袋体を閉口させることができる。更に、樹脂バンドの一端又は両端を駆動部にて引張り、袋体の開口部を閉じた後、加熱手段にて樹脂バンドを溶かして固定するものであるため、樹脂バンドとして安価なポリプロピレンバンドを使用することができ、ランニングコストを低くできる。
【００２１】
請求項２の発明においては、締付力調整装置が、袋体を破かず且つバンドが切れない程度の力でバンドを締めつけるので、袋体やバンドの破損を防止すると共に、袋体の封止不良による悪臭の漏れを防止する。
【００２２】
請求項３の発明においては、保持部にて樹脂バンドを保持することが出来る。
【００２３】
請求項４の発明においては、袋体の開口部がリンク部材に複数箇所保持されていて、閉口するときには作動手段にてリンク部材を折り畳んで、溶着手段にて袋体の開口部が溶着される。
【００２４】
請求項５の発明においては、袋体の開口部を閉じるときに、押圧手段にて袋体を押圧して空気を抜いた状態で閉口することによって、袋体をコンパクトな状態で閉口することができるため、収納するためのスペースを小さくできる。
【００２５】
請求項６の発明においては、可動部材が圧縮スプリングを圧縮すると、圧縮スプリングは押圧体を付勢し、押圧体にて袋体が挟み込まれて袋体内の空気が抜ける、簡素な構成である。
【００２６】
請求項７の発明においては、用便後に搬送手段を操作し、この搬送手段にて自動的に袋体を収納スペースにまで運ぶことによって、排泄物を視界に入れることなく袋体を処理することができる。
【００２７】
請求項８の発明においては、動力伝達部により便蓋の閉動作に連動して払い板が駆動させるために、搬送手段を操作するという作業を省くことができる。
【００２８】
請求項９の発明においては、誤動作防止手段によって、閉口手段にて袋体を閉口した後に搬送手段が作動できるようにしているために、袋体を閉口する前に搬送手段が作動して袋体が破れるのを防止することができる。
【００２９】
請求項９の発明においては、袋体の開口部の内側で且つ樹脂バンドが取り付けられた位置に弾性部材を設けたことによって、袋体の開口部を閉口したときに弾性部材が変形して隙間を無くし、袋体内の臭気が外部へ逃げるのを防止することができる。
【００３０】
請求項１１の発明においては、袋体の内側に柔軟性を有した部材を備えたことによって、用便時に排泄物が袋体に当たって生じる音を無くすことができ、且つ、尿が袋体に当たって跳ね返ることも防止できる。
するものである。
【００３１】
【実施例】
本発明に係る第１実施例を図面に基づいて説明する。
【００３２】
図１は本実施例のトイレの斜視外観図、図２は本実施例のトイレの平面図、図３は本実施例のトイレの正面図、図４は本実施例のトイレの側面図である。図において、便蓋１０及び便座１１は、図２中上方に回動軸１２、１３を有して開閉可能となっている。このとき、便蓋１０の回動軸１２はハウジング１４に軸支され、便座１１の回動軸１３はベース部材１４ｄに軸支されている。
【００３３】
ハウジング１４は便器を構成する中空の箱であって、袋体２０の開口部を保持可能なリブ１４ｂを有している。又、内部には収納スペース１４ａが形成されていて、外部に固定された把手１４ｃを開けば収納スペース１４ａが開放される構成となっている。
【００３４】
袋体２０は、その開口部が排便の落下位置に来るように、ハウジングのリブ１４ｂに複数箇所保持される。更に、袋体２０の開口部付近には、図５に示されるようにバンド保持部２０ａが複数箇所設けられていて、その保持部２０ａには、一端を引っ張ると開口部の口を閉じるバンド２１が巻き付けられていると共に、袋体２０の内側のバンド２１が巻き付けられている位置には、ウレタンやゴム等からなる弾性部材２２が接着されている。この袋体２０は、バンド２１を引っ張ることにより開口部が閉じられると、弾性部材２２が変形して袋体２０の開口部が密封される構成となっている。一方、図６は袋体２０の別実施例を示している。この別実施例の袋体２０は、バンド２１の代わりにポリプロピレン製の安価な樹脂バンド２１ａを巻きつけたものであり、ランニングコストを低減できるものである。更に、内部に不織布等の柔軟性を有した部材２３をはめ込まれていて、尿が袋体２０に当たったときの音や、そのときに尿が跳ね返るのを防止できるものである。尚、図５に示す袋体２０はバンド２１と弾性部材２２の組み合わせ、図６に示す袋体２０は樹脂バンド２１ａと柔軟性を有した部材２３の組み合わせとなっているが、特に組み合わせを限定するものではなく、樹脂バンド２１ａと弾性部材２２と柔軟性を有した部材２３とを採用した袋体など数種類のバリエーションから任意に設定すればよい。
【００３５】
上記袋体２０は、ハウジング１４に固定された保持部１５にはめ込まれて保持されている。図７は図３のＡ部を拡大図、図８はその側面図であって、両図に示されるように、バンド２１は保持部１５にはめ込まれると共に、保持部１５に固定されている係止部材１６にて外れにくい構成となっている。バンド２１を保持部１５から取り外すには、先端が保持部１５内に位置する押し出し棒（取り外し手段）１７を突き上げることによってなされる。押し出し棒１７は、リンク機構１８を介して後述する軸部４３に固定され、軸部４３の回転動作に連動して押し出し棒１７が突き上げられる構成となっている。
【００３６】
バンド２１の一端は、ハウジング１４内に収納されたモータ（駆動部）３０の出力軸３０ａに固定されている第１プーリー３１と、この第１プーリー３１と共同してバンド２１の一端を狭持する第２プーリー３２とによって狭持されている。そして、モータ３０がハウジング１４に設けられた作動スイッチ３０ｂがＯＮされることによって回転駆動されると、バンド２１の一端が第１プーリー３１及び第２プーリー３２とで狭持されながら引っ張られて袋体２０の開口部が閉じられ、制御部（締付力調整装置、誤動作防止手段）３３の指令に基づいて所定の締付力で閉じられるようになっている。
【００３７】
符号４０、４１はバンド２１を切断するための鋏を示している。鋏を構成する一方の刃部４０は、ハウジング１４に固定されいる。他方の刃部４１は、その下端に設けられた突起４１ａがリンク部材４２に設けられた長孔４２ａに嵌合されていて、軸部４３の回転に連動してリンク部材４２が図４中一点鎖線の位置に移動されることによって、バンド２１が切断される。
【００３８】
軸部４３には、ペダル４４が一体的に取り付けられていて、このペダル４４を踏むことにより、先ず鋏４０、４１にてバンド２１が切断され、その後上述した押し出し棒１７が作動してバンド２１を押すと、袋体２０は排泄物の重みでハウジング１４の下面に落ちるようになっている。又、軸部４３の図３中右端周辺を、図９の拡大図及び図１０の側面図にて説明する。軸部４３の図３中右端には、レバー４５が一体的に取り付けられている。レバー４５は、図１０中一点鎖線で示す位置から実線で示す位置まで軸部４３と一体的に回転するものであって、一点鎖線で示す位置から実線で示す位置にまで回動すると、ハウジング１４に固定されたリミットスイッチ４６をＯＮとする。更に、袋体２０を閉口する前に押し出し棒１７にて袋体２０を保持部１５から取り外さないようにするために、レバー４５が図１０中一点鎖線で示す位置（即ち、使用者がペダル４４を踏んでいない位置）にあるとき、レバー４４の回転範囲内に出没可能なロッド４７ａが配設されている。ロッド４７ａは、ハウジング１４に固定されたソレノイド４７の出力軸であって、制御部３３の指令に基づいてソレノイド４７が通電されると、ロッド４７ａが図９中左方に移動して、レバー４４が回転可能となる。即ち、軸部４３が回転可能となる。
【００３９】
軸部４３が回転して押し出し棒１７の作用で袋体２０がハウジング１４の下面に落下されると、袋体２０は、搬送手段を構成する払い板５０によって収納スペース１４ａに向けて搬送される。払い板５０は接続部材５１に固定され、この接続部材５１には回転軸５２が回転自在に貫通している。回転軸５２は、上端近傍にプーリー５３が固定されていて、便蓋１０の開閉動作が、動力伝達部である回動軸１２、すぐばかさ歯車５４、５５、回転軸５６、プーリー５７、タイミングベルト５８を介して回転軸５２が回転駆動される。
【００４０】
一方、接続部材５１の下方には、誤動作防止手段が設けられている。以下、誤動作防止手段の構成について説明する。接続部材５１の下方には、回転軸５２と一体的に回転駆動され、且つ回転軸５２の軸方向に摺動可能な係合部材５９が配設されている。係合部材５９は、接続部材５１と係合することによって、回転軸５２の回転を接続部材５１に伝達するものであり、その下面には制御部３３の指令に基づいて作動するソレノイド６１の上下移動に連動して回転運動するリンク部材６０の一端が当接し、更にリンク部材６０の他端はソレノイド６１の出力ロッド６１ａに係合されている。そして、ソレノイド６１を作動させてその出力ロッド６１ａが図１１中上動すると、リンク部材６０の他端は上動すると共に一端が下動して係合部材５９を回転軸５２を摺動しながら係合部材５９の突起部５９ａが接続部材５１の凹部５１ａから外れて、係合部材５９と接続部材５１とが係合状態（図４の状態）からフリーな状態（図１１の状態）になる。これによって、便蓋１０の開閉動作は動力伝達部を介して払い板５０を作動させる状態と、便蓋１０を開閉させても払い板５０の作動しない状態とを得ることができる。
【００４１】
次に、図１２を用いて上記第１実施例の使用者の操作手順及び制御部３３の制御順序を説明する。先ず、使用者が、ステップＳ１として便蓋１０を開くと、動力伝達部を介して払い板５０が図２中二点鎖線で示す位置から実線で示す位置にまで回転駆動される。それとほぼ同時に、制御部３３はソレノイド６１を通電する。これにより、係合部材５９は接続部材５１から外れるために、便蓋１０を閉じても払い板５０は駆動されなくなる。
【００４２】
その後、ステップＳ３として袋体２０をリブ１４ｂに引っかけて保持すると共に、バンド２０を保持部１５に嵌め込んだ後、ステップＳ４として用便を足す。
【００４３】
用を足したら、ステップＳ５として作動スイッチ３０ｂを押すと、ステップＳ６としてモータ３０が駆動されて、バンド２０は袋体２０の開口部を閉じ始める。
【００４４】
モータ３０の駆動は制御部３３にて制御され、制御部３３はステップＳ７として所定の回転トルクに達したかどうかを判断していて、「達した」と判断したら次のステップＳ８に進んでモータ３０を停止させる。
【００４５】
次に、ステップＳ９として制御部３３はソレノイド４７を通電し、軸部４３を回転可能とする。これによって、ペダル４４のロックを解除することができ、ステップＳ１１として使用者はペダル４４を踏み込む。ペダル４４を踏み込むと、先ずステップＳ１２として鋏４０、４１によりバンド２０が切断され、次に、ステップＳ１３として押し出し棒１７がバンド２１を保持部１５から取り外す。ステップＳ１４では、リミットスイッチ４６がＯＮとなったかどうか判断している。即ち、レバー４５がリミットスイッチ４６をＯＮとする位置（図１０中実線で示す位置）まで回動して、押し出し棒１７がバンド２１を保持部１５から確実に取り外したかどうかを検出している。
【００４６】
リミットスイッチ４６がＯＮになると、ステップＳ１５に進んで、制御部３３はソレノイド６１への通電を経つ。これによって、ソレノイド６１の出力ロッド６１ａは、初期位置である図４の状態に復帰して、係合部材５９と接続部材５１とは係合される。
【００４７】
最後に使用者はステップＳ１６として便蓋１０を閉じる。便蓋１０の閉動作は、動力伝達部を介して回転軸５２の回転に変換され、回転軸５２の回転運動は係合部材５９及び接続部材５２を介して払い板５０を作動させる。払い板５２は、ハウジング１４の下面に落下している袋体２０を収納スペース１４ａに搬送する。
【００４８】
次に、本発明に係る第２実施例を図１３を用いて第１実施例との相違点についてのみ説明する。
【００４９】
図１３は第２実施例のトイレの正面図である。同図において、第２実施例のトイレは、図６に示されるような樹脂バンド２１ａにて閉口する袋体２０を採用する場合のトイレである。図中の符号７０は加熱手段である加熱部を示し、袋体２０を樹脂バンド２１ａにて閉口した後に樹脂バンド２１ａを固定する際に、加熱部７０にて樹脂バンド２１ａの端部同誌を溶着して固定するものである。この加熱部７０は、ジュール熱等を利用して発熱するものである。
【００５０】
次に、本発明に係る第３実施例を図１４〜図１７を用いて説明する。
【００５１】
第３実施例のトイレにおいては、閉口手段がリンク部材である六角形の保持体８０から構成されている。六角形の保持体８０は、互いの端部がピンにより回転自在に連結された六本の部材８０ａ〜８０ｆよりなっていて、これらの部材８０ａ〜８０ｆには、袋体２０の開口部を保持することができる突起部８１が設けられている。更に、六角形の保持体８０の対向する二部材８０ｂ、８０ｅは、図示しない制御部により回転が制御されるモータ（作動手段）８２の駆動によって図１４中左右方向に移動可能な可動部材８３、８４に結合されていて、可動部材８３、８４が互いに接近する方向に移動されると、六角形の保持体８０はハウジング１４に固定（もしくは形成）されたガイド部８５に沿って変形し、図１５中上下方向に細長い六角形に変形していき、最終的には図１７に示されるように折り畳んだ状態となる。可動部材８３、８４の移動は、モータ８２によって回転駆動されるネジ棒８２ａによって成される。更に、六角形の保持体８０の対向する二部材８０ｂ、８０ｅは溶着手段となっていて、図示しない電源に接続されている。図１７に示される状態になると、二部材８０ｂ、８０ｅに電流が流れ、そのときに発生するジュール熱により袋体２０の開口が溶着される構成となっている。
【００５２】
又、溶着手段を可動部材８３、８４として、六角形の保持体８０を折り畳むべく可動部材８３、８４間の距離が接近して図１６に示すように両者が当接したときに電流を流して袋体２０を閉口するようにしてもよい。
【００５３】
この第３実施例においては、六角形の保持体８０に袋体２０の開口部を保持し、六角形の保持体８０を折り畳んだ状態で袋体２０の開口部を溶着にて密封する構成であるために、袋体２０の開口部に皺が寄ること無く確実に袋体２０を密封することができる。
【００５４】
可動部材８３、８４には、圧縮スプリング８６及び押圧体８７、８８が取り付けられている。そして、可動部材８３、８４が互いに接近される方向に駆動されて押圧体８７、８８が袋体２０に当接し、圧縮スプリング８６が圧縮されると、そのときに生じる付勢力で袋体２０を押圧する。これによって、袋体２０内の空気をある程度抜いた状態で閉口できるために、閉口後の袋体２０をコンパクトにできる効果を奏する。
【００５５】
一方、第３実施例のトイレにおいては、収納スペース１４ａが押圧体８７、８８の下方に設けられていて、六角形の保持体８０にて開口部が溶着された後の袋体２０は、突起部８１から外されて収納スペース１４ａ内に落下される。
【００５６】
【発明の効果】
請求項１の発明においては、用便後に閉口手段にて袋体の開口部を閉じることによって、使用者又は家政婦は不快な思いをせずに袋体を閉口させることができる。しかも、樹脂バンドの一端又は両端を駆動部にて引張り、袋体の開口部を閉じた後、加熱手段にて樹脂バンドを溶かして固定するものであるため、樹脂バンドとして安価なポリプロピレンバンドを使用することができ、ランニングコストを低くできる。
【００５９】
請求項２の発明においては、締付力調整装置が、袋体を破かず且つバンドが切れない程度の力でバンドを締めつけるので、袋体やバンドの破損を防止できる。
【００６０】
請求項３の発明においては、保持部にて樹脂バンドを保持しておき、用便後に袋体の開口部を閉じてから取り外し手段を作動させる。これによって、自動的に袋体を取り外すことができる。
【００６１】
請求項４の発明においては、袋体の開口部がリンク部材に複数箇所保持されていて、閉口するときには作動手段にてリンク部材を折り畳んで、溶着手段にて袋体の開口部が溶着される。
【００６２】
請求項５の発明においては、袋体の開口部を閉じるときに、押圧手段にて袋体を押圧して空気を抜いた状態で閉口することによって、袋体をコンパクトな状態で閉口することができるため、収納するためのスペースを小さくできる。
【００６３】
請求項６の発明においては、可動部材が圧縮スプリングを圧縮すると、圧縮スプリングは押圧体を付勢し、押圧体にて袋体が挟み込まれて袋体内の空気が抜ける、簡素な構成である。
【００６４】
請求項７の発明においては、用便後に搬送手段を操作し、この搬送手段にて自動的に袋体を収納スペースにまで運ぶことによって、排泄物を視界に入れることなく袋体を処理することができる。
【００６５】
請求項８の発明においては、動力伝達部により便蓋の閉動作に連動して払い板が駆動させるために、搬送手段を操作するという作業を省くことができる。
【００６６】
請求項９の発明においては、誤動作防止手段によって、閉口手段にて袋体を閉口した後に搬送手段が作動できるようにしているために、袋体を閉口する前に搬送手段が作動して袋体が破れるのを防止することができる。
【００６７】
請求項１０の発明においては、袋体の開口部の内側で且つ樹脂バンドが取り付けられた位置に弾性部材を設けたことによって、袋体の開口部を閉口したときに弾性部材が変形して隙間を無くし、袋体内の臭気が外部へ逃げるのを防止することができる。
【００６８】
請求項１１の発明においては、袋体の内側に柔軟性を有した部材を備えたことによって、用便時に排泄物が袋体に当たって生じる音を無くすことができ、且つ、尿が袋体に当たって跳ね返ることも防止できる。
【図面の簡単な説明】
【図１】本発明に係るトイレの斜視外観図を示す。
【図２】本発明に係る第１実施例のトイレの平面図を示す。
【図３】本発明に係る第１実施例のトイレの正面図を示す。
【図４】本発明に係る第１実施例のトイレの側面図を示す。
【図５】本発明に係る袋体の斜視外観図を示す。
【図６】本発明に係る袋体の別実施例の斜視外観図を示す。
【図７】図２のＡ部拡大図を示す。
【図８】図７に示す拡大部分の側面図を示す。
【図９】図３のＢ部拡大図を示す。
【図１０】図９に示す拡大部分の側面図を示す。
【図１１】本発明に係る誤動作防止手段の拡大図を示す。
【図１２】本発明に係る第１実施例のトイレの使用者の操作手順及び制御部の制御順序を表したフローチャートを示す。
【図１３】本発明に係る第２実施例のトイレの正面図を示す。
【図１４】本発明に係る第３実施例のトイレの正面図を示す。
【図１５】本発明に係る第３実施例のトイレの平面図を示す。
【図１６】本発明に係る第３実施例のトイレの作動状態の正面図を示す。
【図１７】本発明に係る第３実施例のトイレの作動状態の平面図を示す。
【符号の説明】
１０・・・便蓋
１１・・・便器
１２・・・回動軸（動力伝達部）
１４・・・ハウジング
１４ａ・・・収納スペース
１５・・・保持部
１７・・・押し出し棒
２０・・・袋体
２１・・・バンド（閉口手段）
２１ａ・・・樹脂バンド（閉口手段）
２２・・・弾性部材
２３・・・柔軟性を有した部材
３０・・・モータ（駆動部）
３３・・・制御部（締付力調整装置、誤動作防止手段）
４４・・・ペダル
５０・・・払い板（搬送手段）
５２・・・回転軸（動力伝達部）
５４、５５・・・すぐばかさ歯車（動力伝達部）
５６・・・回転軸（動力伝達図）
５７・・・プーリー（動力伝達部）
５８・・・タイミングベルト（動力伝達部）
７０・・・加熱部（加熱手段）
８０・・・六角形の保持体
８１・・・突起部
８３、８４・・・可動部材
８５・・・ガイド部
８６・・・圧縮スプリング
８７、８８・・・押圧体
【図１】
0003766986.tif 000002
【図２】
0003766986.tif 000003
【図３】
0003766986.tif 000004
【図４】
0003766986.tif 000005
【図５】
0003766986.tif 000006
【図６】
0003766986.tif 000007
【図７】
0003766986.tif 000008
【図８】
0003766986.tif 000009
【図９】
0003766986.tif 000010
【図１０】
0003766986.tif 000011
【図１１】
0003766986.tif 000012
【図１２】
0003766986.tif 000013
【図１３】
0003766986.tif 000014
【図１４】
0003766986.tif 000015
【図１５】
0003766986.tif 000016
【図１６】
0003766986.tif 000017
【図１７】
0003766986.tif 000018